(57)【特許請求の範囲】
【請求項１】
ハウジングと、処理回路と、表示パネルと、第１係合手段とを含むウェブパッドと、ベースとを有するウェブパッド・モジュールにおいて、
該ハウジングは前面と背面を有し、
該処理回路は該ハウジングに内設され、該ウェブパッドの操作を制御するために供され、
該表示パネルは該ハウジングの前面に設け、画像表示するために供され、
該第１係合手段は該ハウジングの背面に設けられ、該処理回路に電気的に接続する第１接続ポートを具え、
該ベースは、該ウェブパッドを該ベースに設置する場合に該第１係合手段に係合する第２係合手段を具え、かつ該第２係合手段は該第１係合手段の第１接続ポートに対応する第２接続ポートを具えてなり、該第１係合手段と第２係合手段とが係合した場合、該第１接続ポートと該第２接続ポートとが電気的に接続して該ウェブパッドがベースを介して信号の入出力をできるように構成し、
かつ、前記ウェブパッドは、別途下端縁部に第１電池を着脱自在に設けて、該ウェブパッドの必要とする電力を提供する構成とし、
かつ、前記ベースは、さらに第１支持部を設け、該第１係合手段と該第２係合手段とを係合させた場合、第１支持部が該第１電池の下端縁部に当接してウェブパッドを支持する構成とし、
かつ、前記第１支持部は着脱自在にベース部に設けられ、該第１電池を第２電池に変更した場合、該第２電池の下端縁部がベースに当接してウェブパッドが支持される構成としたことを特徴とする係合手段を具えるウェブパッド・モジュール。
【請求項２】
前記第１係合手段は凹溝状に形成され、該第２係合手段は凸状態に形成され、該凸状の第２係合手段が該凹溝状の第１係合手段に係合して該ウェブパッドを該ベース上に固定することを特徴とする請求項１に記載の係合手段を具えるウェブパッド・モジュール。
【請求項３】
前記第１係合手段は、溝の深さが端縁部から徐々に深くなりように勾配を形成することを特徴とする請求項２に記載の係合手段を具えるウェブパッド・モジュール。
【請求項４】
前記第１係合手段は凸状部の両側面にそれぞれ形成されるスライド溝を含み、第２係合手段には、該第１係合手段のスライド溝に対応する突起部を形成し、該突起部が該スライド溝に嵌合するように構成したことを特徴とする請求項２に記載の係合手段を具えるウェブパッド・モジュール。
【請求項５】
前記ベースが、さらに該第２接続ポートに電気的に接続する機能拡張コンセントを少なくとも１以上具えることを特徴とする請求項１に記載の係合手段を具えるウェブパッド・モジュール。
【請求項６】
前記ベースが、さらに該第２接続ポートに電気的に接続して該ウェブパッドの必要とする電力を供給するための電源コンセントを具えることを特徴とする請求項１に記載の係合手段を具えるウェブパッド・モジュール。
【請求項７】
前記第１支持部は着脱自在にベース部に設けるとともに、該ベースに着脱自在、かつ選択的に設けられる第２支持部を別途用意し、該第１電池を第２電池に変更した場合、該第２電池の下端縁部がベースに当接してウェブパッドを支持し、該第１電池を第２電池に交換した場合、該第１支持部を第２支持部に交換して、該第２支持部が該第２電池の下端縁に当接することによって該ウェブパッドが支持されることを特徴とする請求項１に記載の係合手段を具えるウェブパッド・モジュール。
【請求項８】
ハウジングと、処理回路と、表示パネルと、第１係合手段と第１電池とを含むウェブパッドと、ベースとによってなるウェブパッド・モジュールにおいて、
該ハウジングは前面と背面を有し、
該処理回路は該ハウジングに内設され、該ウェブパッドの操作を制御するために供され、
該表示パネルは該ハウジングの前面に設け、画像表示するために供され、
該第１係合手段は該ハウジングの背面に設けられ、
該第１電池は該ハウジングの下端縁部に着脱自在に設けられて該ウェブパッド
の必要とする電力を供給し、
該ベースは、該ウェブパッドを該ベースに設置する場合に該第１係合手段に係合する第２係合手段を具え、かつ第１支持部を着脱自在に設けて、該第１支持部が該第１電池の下端縁に当接して該ウェブパッドを支持し、
該第１電池をサイズの異なる第２電池に交換した場合に該第１支持部を取り外すことによって該ベースが該ウェブパッドを支持することを特徴とする係合手段を具えるウェブパッド・モジュール。
【請求項９】
前記第１係合手段には該処理回路に電気的に接続する第１接続ポートを設け、該第２係合手段には第１接続ポートを設け、該第１係合手段と該第２係合手段が係合する場合に該第１ポートが該第２接続ポートに接続して、該ウェブパッドが該ベースを介して信号の入出力をできるように構成したことを特徴とする請求項８に記載の係合手段を具えるウェブパッド・モジュール。
【請求項１０】
前記第１係合手段は凹溝状に形成され、該第２係合手段は凸状態に形成され、該凸状の第２係合手段が該凹溝状の第１係合手段に係合して該ウェブパッドを該ベース上に固定することを特徴とする請求項８に記載の係合手段を具えるウェブパッド・モジュール。
【請求項１１】
前記第１係合手段は、凹溝の深さが端縁部から徐々に深くなりように勾配を形成することを特徴とする請求項１０に記載の係合手段を具えるウェブパッド・モジュール。
【請求項１２】
前記第１係合手段は凸状部の両側面にそれぞれ形成されるスライド溝を含み、第２係合手段には、該第１係合手段のスライド溝に対応する突起部を形成し、該突起部が該スライド溝に嵌合するように構成したことを特徴とする請求項１０に記載の係合手段を具えるウェブパッド・モジュール。
【請求項１３】
前記ベースに選択的に設けられる第２支持部を別途用意し、第１電池を第２電池に交換した場合、該第１支持部を該第２支持部に交換し、該第２支持部が該第２電池の下端縁に当接することによって該ウェブパッドを支持することを特徴とする請求項８に記載の係合手段を具えるウェブパッド・モジュール。
【請求項１４】
ハウジングと、処理回路と、表示パネルと、第１接続ポートと、第１電池とを含むウェブパッドと、ベースとによってなるウェブパッド・モジュールにおいて、
該ハウジングは前面と背面を有し、
該処理回路は該ハウジングに内設され、該ウェブパッドの操作を制御するために供され、
該表示パネルは該ハウジングの前面に設け、画像表示するために供され、
該第１接続ポートは該ハウジングの背面に設けられ、かつ該処理回路に電気的に接続し、
該第１電池は該ハウジングの下端縁部に着脱自在に設けられて該ウェブパッドの必要とする電力を供給し、
該ベースは、該第１接続ポートに対応する第２接続ポートを具えるとともに、該第１電池の下端縁に当接して該ウェブパッドを支持する第１支持部を着脱自在に設け、
該第１接続ポートが該第２接続ポートに電気的に接続することによって該ウェブパッドは該ベースを介して信号の送信、もしくは受信を行い、
該第１電池を第２電池に交換した場合、該第１支持部を取り外すことによって該ベースが該ウェブパッドを支持することを特徴とする係合手段を具えるウェブパッド・モジュール。
【請求項１５】
前記ウェブパッドは、別途背面に第１係合手段が設けられ、該第１接続ポートは該第１係合手段内に設けられ、
該ベースは、該第１係合手段に係合する第２係合手段を別途設け、該第２接続ポートは該第２係合手段内に設けられ、
該第１係合手段と該第２係合手段が係合した場合、該第１接続ポートと該第２接続ポートとが電気的に接続することを特長とする請求項１４に記載の係合手段を具えるウェブパッド・モジュール。
【請求項１６】
前記ベースに選択的に設けられる第２支持部を別途用意し、第１電池を第２電池に交換した場合、該第１支持部を該第２支持部に交換し、該第２支持部が該第２電池の下端縁に当接することによって該ウェブパッドを支持することを特徴とする請求項１４に記載の係合手段を具えるウェブパッド・モジュール。
【発明の詳細な説明】
【０００１】
【発明の属する技術分野】
この発明は、一種のウェブパッド・モジュールに関し、特にウェブパッドの背面に係合して用いるウェブパッド・モジュールに関する。
【０００２】
【従来の技術】
インターネット機であるウェブパッドは、構造を簡略化したモバイルタイプのコンピュータであって、通常ユーザーが携帯するために便利なように長方形の平板状にデザインされ、随時インターネットに接続して必要とする情報を得ることができる。かかるインターネット機を利用する消費者は、ますます増加している。
【０００３】
図１に従来のウェブパッド・モジュール１０を開示する。図示によれば、従来のウェブパッド・モジュール１０は携帯式のウェブパッド１２とベース１４とによってなり、ウェブパッド１２をベース１４上に設ける。ウェブパッド１２はハウジング１６と、画像を表示するための表示パネル１８と、ハウジング１６の下端縁部に設けられ、ウェブパッド１２とベース１４とを電気的、機械的に接続する第１係合手段２０とによってなる。また、ベース１４上には、第１係合手段に係合する第２係合手段２２を設ける。
【０００４】
ウェブパッド１２は、別途電池（図示しない）をハウジング１６に内設してウェブパッド１２の必要とする電力を提供する。
【０００５】
以上の構成によるウェブパッドを机などの上で使用する場合は、使用上の便宜を図るためにウェブパッド１２をベース１４上に設ける。
【０００６】
但し、上述の構造には、設計上ユーザーにとって不便な点が存在する。即ち、電池をハウジング１６内に設けるため、電池を交換する場合に不便で、迅速に交換することができない。また、サイズの異なる電池を使用する可能性が制限される、さらにウェブパッド１２とベース１４との間において係合手段２０、２２が設けられているため、電池を外付けの方式でハウジング下端縁部に設ける設計に変更しようとする場合、関連部材、その構成のアレンジ、及び製造が難しくなる。
【０００７】
【発明が解決しようとする課題】
この発明は、構造が単純で、製造が容易で、かつ使用上便利な係合手段を具え、簡易な操作で電池交換を行うことができるウェブパッド・モジュールを提供することを目的とする。
【０００８】
【課題を解決するための手段】
そこで、本発明者は従来の技術に見られる欠点に鑑み鋭意研究を重ねた結果、ハウジングと、該ハウジングに内設される処理回路と、表示パネルと、第１接続ポートを有する第１係合手段とを含むウェブパッドと、該第１係合手段に対応する第２係合手段を含むベースとを有するウェブパッド・モジュールを構成し、かつ該第２係合手段に第２接続ポートを設けた構造によって課題を解決できる点に着眼し、かかる知見に基づいて本発明を完成させた。
【０００９】
即ち、この発明においては、ウェブパッドとベースを連結するための係合手段をウェブパッドの背面に設け、電池を着脱自在に該ウェブパッドの下端縁に設けることによって、電池の交換が容易で、かつサイズの異なる電池に交換することが可能であり、かつ使用上便利なウェブパッド・モジュールが得られる。
【００１０】
以下、この発明について具体的に説明する。
【００１１】
請求項１に記載するウェブパッド・モジュールは、ハウジングと、処理回路と、表示パネルと、第１係合手段とを含むウェブパッドと、ベースとを有するウェブパッド・モジュールにおいて、該ハウジングは前面と背面を有し、該処理回路は該ハウジングに内設され、該ウェブパッドの操作を制御するために供され、該表示パネルは該ハウジングの前面に設け、画像表示するために供され、該第１係合手段は該ハウジングの背面に設けられ、該処理回路に電気的に接続する第１接続ポートを具え、該ベースは、該ウェブパッドを該ベースに設置する場合に該第１係合手段に係合する第２係合手段を具え、かつ該第２係合手段は該第１係合手段の第１接続ポートに対応する第２接続ポートを具えてなり、該第１係合手段と第２係合手段とが係合した場合、該第１接続ポートと該第２接続ポートとが電気的に接続して該ウェブパッドがベースを介して信号の入出力をできるように構成し、かつ、前記ウェブパッドは、別途下端縁部に第１電池を着脱自在に設けて、該ウェブパッドの必要とする電力を提供する構成とし、かつ、前記ベースは、さらに第１支持部を設け、該第１係合手段と該第２係合手段とを係合させた場合、第１支持部が該第１電池の下端縁部に当接してウェブパッドを支持する構成とし、かつ、前記第１支持部は着脱自在にベース部に設けられ、該第１電池を第２電池に変更した場合、該第２電池の下端縁部がベースに当接してウェブパッドが支持される構成とする。
【００１２】
請求項２に記載するウェブパッド・モジュールは、請求項１における第１係合手段は凹溝状に形成され、該第２係合手段は凸状態に形成され、該凸状の第２係合手段が該凹溝状の第１係合手段に係合して該ウェブパッドを該ベース上に固定する。
【００１３】
請求項３に記載する係合手段を具えるウェブパッド・モジュールは、請求項２における第１係合手段が、溝の深さが端縁部から徐々に深くなりように勾配を形成する。
【００１４】
請求項４に記載する係合手段を具えるウェブパッド・モジュールは、請求項２における第１係合手段が凸状部の両側面にそれぞれ形成されるスライド溝を含み、第２係合手段には、該第１係合手段のスライド溝に対応する突起部を形成し、該突起部が該スライド溝に嵌合するように構成してなる。
【００１５】
請求項５に記載する係合手段を具えるウェブパッド・モジュールは、請求項１におけるベースが、さらに該第２接続ポートに電気的に接続する機能拡張コンセントを少なくとも１以上具える。
【００１６】
請求項６に記載する係合手段を具えるウェブパッド・モジュールは、請求項１におけるベースが、さらに該第２接続ポートに電気的に接続して該ウェブパッドの必要とする電力を供給するための電源コンセントを具える。
【００２０】
請求項７に記載する係合手段を具えるウェブパッド・モジュールは、請求項１における第１支持部を着脱自在にベース部に設けるとともに、該ベースに着脱自在、かつ選択的に設けられる第２支持部を別途用意し、該第１電池を第２電池に変更した場合、該第２電池の下端縁部がベースに当接してウェブパッドを支持し、該第１電池を第２電池に交換した場合、該第１支持部を第２支持部に交換して、該第２支持部が該第２電池の下端縁に当接することによって該ウェブパッドが支持される。
【００２１】
請求項８に記載する係合手段を具えるウェブパッド・モジュールは、ハウジングと、処理回路と、表示パネルと、第１係合手段と第１電池とを含むウェブパッドと、ベースとによってなるウェブパッド・モジュールであって、該ハウジングは前面と背面を有し、該処理回路は該ハウジングに内設され、該ウェブパッドの操作を制御するために供される。該表示パネルは該ハウジングの前面に設け、画像表示するために供され、該第１係合手段は該ハウジングの背面に設けられる。該第１電池は該ハウジングの下端縁部に着脱自在に設けられて該ウェブパッドの必要とする電力を供給し、該ベースは、該ウェブパッドを該ベースに設置する場合に該第１係合手段に係合する第２係合手段を具え、かつ第１支持部を着脱自在に設けて、該第１誌支持部が該第１電池の下端縁部に当接して該ウェブパッドを支持し、該第１電池をサイズの異なる第２電池に交換した場合に該第１支持部を取り外すことによって該ベースが該ウェブパッドを支持する。
【００２２】
請求項９に記載する係合手段を具えるウェブパッド・モジュールは、請求項８における第１係合手段には該処理回路に電気的に接続する第１接続ポートを設け、該第２係合手段には第１接続ポートを設け、該第１係合手段と該第２係合手段が係合する場合に該第１ポートが該第２接続ポートに接続して、該ウェブパッドが該ベースを介して信号の入出力をできるように構成する。
【００２３】
請求項１０に記載する係合手段を具えるウェブパッド・モジュールは、請求項８における第１係合手段が凹溝状に形成され、該第２係合手段は凸状態に形成され、該凸状の第２係合手段が該凹溝状の第１係合手段に係合して該ウェブパッドを該ベース上に固定する。
【００２４】
請求項１１に記載する係合手段を具えるウェブパッド・モジュールは、請求項１０における第１係合手段が、凹溝の深さが端縁部から徐々に深くなりように勾配を形成する。
【００２５】
請求項１２に記載する係合手段を具えるウェブパッド・モジュールは、請求項１０における第１係合手段が凸状部の両側面にそれぞれ形成されるスライド溝を含み、第２係合手段には、該第１係合手段のスライド溝に対応する突起部を形成し、該突起部が該スライド溝に嵌合する。
【００２６】
請求項１３に記載する係合手段を具えるウェブパッド・モジュールは、請求項８におけるベースに選択的に設けられる第２支持部を別途用意し、第１電池を第２電池に交換した場合、該第１支持部を該第２支持部に交換し、該第２支持部が該第２電池の下端縁に当接することによって該ウェブパッドを支持する。
【００２７】
請求項１４に記載する係合手段を具えるウェブパッド・モジュールは、ハウジングと、処理回路と、表示パネルと、第１接続ポートと、第１電池とを含むウェブパッドと、ベースとによってなるウェブパッド・モジュールであって、該ハウジングは前面と背面を有し、該処理回路は該ハウジングに内設され、該ウェブパッドの操作を制御するために供される。該表示パネルは該ハウジングの前面に設け、画像表示するために供され、該第１接続ポートは該ハウジングの背面に設けられ、かつ該処理回路に電気的に接続し、該第１電池は該ハウジングの下端縁部に着脱自在に設けられて該ウェブパッドの必要とする電力を供給し、該ベースは、該第１接続ポートに対応する第２接続ポートを具えるとともに、該第１電池の下端縁に当接して該ウェブパッドを支持する第１支持部を着脱自在に設け、該第１接続ポートが該第２接続ポートに電気的に接続することによって該ウェブパッドは該ベースを介して信号の送信、もしくは受信を行い、該第１電池を第２電池に交換した場合、該第１支持部を取り外すことによって該ベースが該ウェブパッドを支持する。
【００２８】
請求項１５に記載するウェブパッド・モジュールは、請求項１４におけるウェブパッドが、別途背面に第１係合手段が設けられ、該第１接続ポートは該第１係合手段内に設けられ、該ベースは、該第１係合手段に係合する第２係合手段を別途設け、該第２接続ポートは該第２係合手段内に設けられ、該第１係合手段と該第２係合手段が係合した場合、該第１接続ポートと該第２接続ポートとが電気的に接続する。
【００２９】
請求項１６に記載する係合手段を具えるウェブパッド・モジュールは、請求項１４におけるベースに選択的に設けられる第２支持部を別途用意し、第１電池を第２電池に交換した場合、該第１支持部を該第２支持部に交換し、該第２支持部が該第２電池の下端縁に当接することによって該ウェブパッドを支持する。
【００３０】
【発明の実施の形態】
この発明は、構造が単純で、製造が容易で、かつ使用上便利な係合手段を具え、簡易な操作で電池交換を行うことができるウェブパッド・モジュールを提供するものであって、ハウジングと、該ハウジングに内設される処理回路と、表示パネルと、第１接続ポートを有する第１係合手段とを含むウェブパッドと、該第１係合手段に対応する第２係合手段を含むベースとを有する構成とされ、かつ該第２係合手段に第２接続ポートを設けてなる。
【００３１】
かかるウェブパッド・モジュールの特徴と効果を説明するために、具体的な実施例を挙げ、図示を参照にして以下に詳述する。
【００３２】
【実施例】
図２、図３に開示するウェブパッド３２は、ハウジング３６と、画像を表示する表示パネル４０と第１係合手段４２（図３参照）と第１電池４４とを含み、該第１電池４４は着脱自在にハウジング３６の下端縁部に設けられ、ウェブパッド３２の必要とする電力を提供する。
【００３３】
ハウジング３６は、前面３６ａと背面３６ｂ（図３参照）とを有する。また、表示パネル４０はハウジング３６の前面３６ａ側に設けられ、第１係合手段４２は、ハウジング３６の背面３６ｂ側に設けられる。
【００３４】
別途、ベース３４上には、該第１係合手段に対して着脱自在に係合する第２係合手段４６を設ける。このため、ウェブパッド３２をベース３４に設置することができる。
【００３５】
図２、３に開示するように、ベース３４には別途複数の機能拡張コンセント６０を設ける。該機能拡張コンセント６０は、外部の対応する拡張装置（図示しない）を接続するために供し、例えば、ユニバーサル・シリアルバス（universal  serial  bus：USB）、パーソナル・システム２（personal  system２：ＰＳ２）、もしくはミニビデオ・グラフィックスアレイ（mini  video  graphics  array：miniＶＧＡ）などのインタフェースとする。
【００３６】
また、ベース３４には電源コンセント６２を設け、外部の電源に接続してウェブパッド３２が必要とする電力を提供する。
【００３７】
図４に、図２、３における第１係合手段４２と第２係合手段４６を開示する。図４に開示するように、第１係合手段４２はハウジング３６の背面に凹溝状に形成され、溝の深さが端縁部から徐々に深くなりように勾配を形成する。第２係合手段４６は、凸状に形成され、該第２係合手段４６に係合して、ウェブパッド３２をベース３４上に固定する。また、第１係合手段４２は凸状部の両側面にそれぞれ形成されるスライド溝４８、５０を含み、第２係合手段には、該第１係合手段４２のスライド溝４８、５０に対応する突起部５２、５４を形成し、突起部５２、５４がスライド溝４８、５０に嵌合する。
【００３８】
図４に開示するように、第１係合手段４２には第１接続ポート５６が設けられ、第２係合手段４６には、該第１接続ポート５６に対応する第２接続ポート５８が設けられる。該第１接続ポート５６は、第１係合手段４２の第１上側面６４に設けられ、第２接続ポート５８は、該第１係合手段４２の第１上側面６４に対応する第２係合手段４６の第２側面６６に形成される。かかる構造によってウェブパッド３２の第１係合手段４２は、ベース３４の第２係合手段４６に係合すると同時に、第１接続ポート５６が第２接続ポート５８に接続する。
【００３９】
図５に、図２におけるウェブパッド・モジュール３０の構造を表わすブロック図を開示する。図示によれば、ウェブパッド・モジュール３０は別途ハウジング３６内にウェブパッド３２の操作を制御する処理回路３８を内設する。ウェブパッド３２の表示パネル４０と、第１接続ポート５６は、いずれも処理回路３８に電気的に接続する。また、ベース３４の機能拡張コンセント６０と、電源コンセント４６はいずれも第２接続ポート５８に電気的に接続し、第１係合手段４２と第２係合手段４６とが係合すると、該第１接続ポート５６が第２接続ポート５８に接続する。このため、ウェブパッド３２はベース３４を介して信号を出力して送信するか、もしくはベース３４を介して信号を受信することができる。
【００４０】
図６、図７に、図２におけるウェブパッド・モジュール３０の側面図を表わす。前述のとおり、ウェブパッド３２は第１電池４４を含み、該第１電池４４は着脱自在にハウジング３６の下端縁部に設けられる。実施例においては、図２、図６に開示するように別途第１支持部６８をベース３４上に着脱自在に設ける。図６に開示するように、第１係合手段４２と第２係合手段４６とを係合させた場合、第１支持部６８は第１電池の下端縁部に当接してウェブパッド３２を支持する。
【００４１】
図７に開示するように、第１電池４４を比較的長い第２電池４５に変更した場合、第２電池４５の下端縁部がベース３４の当接部７０に当接する。このためベース３４によってウェブパッド３２が支持される。かかる設計によって、異なるサイズの電池を使用しても、ウェブパッド３２はベース３４上に安定して支持される。
【００４２】
また、長さが第１電池４４と第２電池４５との間の電池を以って第１電池を交換する場合は、高さが第１支持部６８より低い第２支持部（図示しない）をベースに設けて該電池の下端縁部に当接するようにする。このため、電池のサイズが異なってもウェブパッド３２を支持することができる。
【００４３】
以上は、この発明の好ましい実施例であって、この発明の実施の範囲を限定するものではない。よって、当業者のなし得る修正、もしくは変更であって、かつこの発明の精神の下においてなされたものであって、かつこの発明に対して均等の効果を有するものは、いずれもこの発明の特許請求の範囲に含まれるものとする。
【００４４】
【発明の効果】
この発明によるウェブパッド・モジュールは、従来のウェブパッド・モジュールと異なり、電池を外部接続方式で着脱自在に設け、かつ電池に当接してウェブパッドを支持する支持部を着脱自在、かつ選択的に設けることによって、構造が単純となり、製造が容易で、かつ使用上便利な係合手段を具え、簡易な操作で電池の交換を行うことができるとともに、サイズの異なる電池にそれぞれ対応し、ウェブパッドをベース上に安定して支持する効果を具える。
【図面の簡単な説明】
【図１】従来のウェブパッド・モジュールを表わす斜視図である。
【図２】この発明によるウェブパッド・モジュールの前面を表わす分解図である。
【図３】図２に開示するウェブパッド・モジュールの背面を表わす分解図である。
【図４】図２、図３における係合手段を表わす局部拡大図である。
【図５】図２に開示するウェブパッド・モジュールの構造を表わすブロック図である。
【図６】この発明によるウェブパッド・モジュールの側面図である。
【図７】この発明によるウェブパッド・モジュールの他の実施形態の側面図である。
【符号の説明】
１０  ウェブパッド・モジュール
１２  ウェブパッド
１４  ベース
１６  ハウジング
１８  表示パネル
２０  第１係合手段
２２  第２係合手段
３０  ウェブパッド・モジュール
３２  ウェブパッド
３４  ベース
３６  ハウジング
３６ａ  前面
３６ｂ  背面
３８  処理回路
４０  表示パネル
４２  第１係合手段
４４  第１電池
４５  第２電池
４６  第２係合手段
４８、５０  スライド溝
５２、５４  突起部
５６  第１接続ポート
５８  第２接続ポート
６０  機能拡張コンセント
６２  電源コンセント
６４  第１上側面
６６  第２上側面
６８  第１支持部
７０    当接部
【図１】
0003672892.tif 000002
【図２】
0003672892.tif 000003
【図３】
0003672892.tif 000004
【図４】
0003672892.tif 000005
【図５】
0003672892.tif 000006
【図６】
0003672892.tif 000007
【図７】
0003672892.tif 000008